(57)【要約】【課題】小口ポケットに収納可能で、ノースフィットの過度な折曲を防止し、収納の際マスクの濾布内面が附着微粒子で汚染されないマスクケースの提供。【解決手段】マスクケース１を、外形が横長矩形状の本体シート２、本体シートの下横辺中央に切込み形成された中央切欠部３、本体シートの横辺に平行に本体シートの中央表面に形成された中央横折線４、本体シートの横幅中心線に沿って形成された中央縦折線５、中央縦折線の左右両側の本体シート表面に平行に形成された一対の縦折線でその間隔が前記中央切欠部の幅と略同間隔である補助縦折線５ａ、本体シートの左右の縦辺に一対の円弧状切欠として形成された紐掛け部６を備えた構成とする。【選択図】図１
2020195828.tif 000002
【特許請求の範囲】
【請求項１】
外形が横長矩形状のシートからなる本体シートと、
前記本体シートの下側横辺の中央に、前記本体シートの縦幅の略半分の深さまで切込まれて形成された凵字状の中央切欠部と、
前記中央切欠部最上部の上底から左右の縦辺に亘り、前記本体シートの横辺に平行に前記本体シートの表面に形成された中央横折線と、
前記本体シートの横幅の中心線に沿って、前記本体シートの表面に形成された中央縦折線と、
前記中央縦折線の左右両側の前記本体シートの表面に、該中央縦折線と平行に形成された一対の縦折線であって、その間隔が前記中央切欠部の幅と略同間隔である補助縦折線と、
前記本体シートの左右の縦辺の其々に、前記中央横折線からの距離が略等しい位置に、一対の円弧状切欠として形成された紐掛け部と、を備えたことを特徴とするマスクケース。
【請求項２】
前記本体シートの表面には、前記中央横折線と平行に、下側横辺の側に偏倚して補助横折線が形成されていることを特徴とする請求項１記載のマスクケース。
【請求項３】
前記本体シートは、プラスチックと炭酸カルシウムを混合成型した無機フィラー分散系の複合材料、又はユポ紙により構成されていることを特徴とする請求項１又は２に記載のマスクケース。
【発明の詳細な説明】
【技術分野】
【０００１】
本発明は、使いかけ又は使用済のイヤーループマスクを収容するためのマスクケースに関する。
【背景技術】
【０００２】
花粉症や伝染病の予防や口からの飛沫の拡散防止などのため、口周りを覆う通気性のガーゼや不織布からなる濾布と、該濾布の左右に輪状に設けられたイヤーループ（耳紐）とを備えたイヤーループマスクが広く用いられている。イヤーループマスクは、口を覆うように濾布を顔に当てた状態で、イヤーループを両耳に掛けて固定して使用する。イヤーループマスク（以下、単に「マスク」という。）を使用した後、使用後のマスクを、そのままの状態でポケットやバックに入れると、マスクが乱雑に折れ曲がったり衛生面上での問題が生じたりする為、使用後のマスクを収納するマスクケースが使用される。斯かるマスクケースとしては、特許文献１〜４に記載のものが公知である。
【０００３】
特許文献１に記載のマスクケースは、中央で縦に開閉自在に二つ折りされた横長矩形状のシート材（紙、プラスチックシート、布、皮等）からなるケース本体（１）と、ケース本体の左右辺の其々に耳片状に突出形成された突出部（２）と、一方の突出部及び該突出部の反対側のケース本体外面に設けられた留め具（６）を備えている（仝文献図１参照）。このマスクケースでは、マスクを掛けた顔面に、ケース本体を開いた状態でケース本体内側面をマスクの濾布の外面に押しつけ、この状態で左右のイヤーループを耳から外し、其々のイヤーループをケース本体の左右に突出した突出部に掛ける。そして、ケース本体を顔から離すことで、マスクの濾布に手を触れないでマスクを外してケース本体に収納することができる。逆に、ケース本体に収納した状態のマスクを顔面に押しつけて、左右のイヤーループを耳に掛けることで、マスクの濾布に手を触れないでマスクを着用出来る（仝文献明細書〔００１４〕参照）。
【０００４】
特許文献２に記載のマスクケースは、上下二折りに折り畳むことによりマスクの濾布（本体部）（１０１）を挟み込む、抗菌性を有する紙製の保護シート（２０）と（仝文献図２，３参照）、上下二折りに折り畳まれることにより濾布（本体部）及び保護シート（２０）を挟み込む、保護シートよりも厚めの紙製の内側シート（３０）と（仝文献図４，５参照）、折り畳まれることにより濾布（本体部）及び保護シート（２０）を挟み込んだ内側シート（３０）を収容する紙製の外側シート（４０）と（仝文献図６，７参照）を備えている。保護シート（２０）は矩形状の紙製で、上下中央に左右に横断する折線（２３）が設けられ、濾布に当接する内側が抗菌性とされている。内側シート（３０）は、保護シート（２０）よりやや大きめの矩形状の紙製で、上下中央に左右に横断する折線（３３）が設けられ、折線（３３）を挟んだ２面のうち片側面に、該片側面の中央付近に左右対称に相反する一対のコの字状の切込みからなる引っ掛け部（３５）、及び該片側面の左右其々の辺の二カ所に半円切欠状に設けられた切欠部（３４）が設けられている。このマスクケースでは、外したマスクを、まず保護シート（２０）で上下に挟み、次いで内側シート（３０）で上下に挟み、左右のイヤーループの其々を、引っ掛け部（３５）が設けられた片側面に外側から回して、各イヤーループの端部付近を切欠部（３４）に掛けるとともに、各イヤーループの中央を内側シート（３０）外面中央付近の引っ掛け部（３５）に引っ掛けて固定し、その後外側シート（４０）に挟み込むことによって収納する（仝文献図３，７，９参照）。
【０００５】
特許文献３に記載のマスクケースは、上下に二つ折りされた長方形状の紙製のシート（１０）からなり（仝文献図１参照）、シート（１０）は上辺（１０ｃ）及び下辺（１０ｆ）の中央線（１０ｄ）よりも稍上辺（１０ｃ）側に短幅ｄ１だけ偏倚した位置で左右に横断する折線（１０ｄ）で二つ折りされ、折り合わされた左右辺のうち片辺（１０ｉ，１０ｈ）側が短幅ｄ２に亘り接着された構成を有する。二つ折りされたシート（１０）の内側面は抗菌性のワニスがコーティングされている。このマスクケースでは、外したマスクの濾布を単に二つ折りされたシート（１０）に挟み込んで収納する（仝文献図３参照）。
【０００６】
特許文献４に記載のマスクケースは、抗菌性の樹脂製シートを折り曲げて重ね合わせ、この折り曲げ部（３）に隣接する１辺（２）を溶着し、残りの２辺（１，４）を開放させたクリアホルダー本体に、マスクを挿入して収容するようにしたマスクケースであって、解放された辺の一方に、マスクを引き出すための切り欠き部（５）を設けた構成とされている（仝文献図２参照）。このマスクケースでも、外したマスクの濾布を単に折り曲げて重ね合わせれた樹脂製シートに挟み込んで収納する。
【先行技術文献】
【特許文献】
【０００７】
【特許文献１】特開２０１１−１０３９４０号公報
【特許文献２】実用新案登録第３２２２１０３号明細書
【特許文献３】実用新案登録第３２２７２５５号明細書
【特許文献４】実用新案登録第３１５８３１７号明細書
【発明の概要】
【発明が解決しようとする課題】
【０００８】
マスクの使用中には、使用者が濾布を通して呼吸を行うため、外界に浮遊する微粒子は吸息時に濾布外面に捕捉され、濾布外面は捕捉されたアレルゲンや病原菌等の微粒子が附着して汚染される。故に、使用後に濾布の外面を手で触ると、附着したアレルゲンや病原菌等により手が汚染されて、汚染された手で目、口、鼻などを触ることでアレルギーの発症を誘発したり、病原菌に感染したりする恐れがある。そのため、マスク脱離時には、濾布に触れずにイヤーループを摘まんで耳から外し、持ち運んだり再度使用する場合には、濾布外面に触れずに外したマスクをマスクケースに収納する必要がある。この場合、上記特許文献３，４に記載のマスクケースでは、外したマスクの濾布外面に触れずにマスクをマスクケースに収納する操作が難しく、使い勝手に問題がある。
【０００９】
また、特許文献３，４に記載のマスクケースでは、マスクケースからマスクを出した場合に、対向するマスクケースのシート内面同士が接触し、マスクの濾布外面が接触していた側のシート内面に附着した微粒子が対向する逆側のシート内面にも附着してしまう。従って、次回にマスクケースにマスクを収納した際に、マスクの濾布内面が一方のシート内面に接触した際に微粒子がマスクの濾布内面に附着してしまうという問題がある。特許文献２に記載のマスクケースでも、内側シートにおいて同様の問題がある。
【００１０】
一方、特許文献１に記載のマスクケースでは、マスクを顔に装着した状態でマスクケースをマスクの濾布外面に当て、そのままマスクケースにイヤーループを掛けて外して、マスクケースのケース本体を折り畳むことによりマスクを収納するため、使用者がマスクの濾布外面に触れることなく、容易にマスクを収納することが出来る。また、マスクケースのケース本体の内側面には常にマスクの濾布外面が当接し、マスクの濾布内面がマスクケースのケース本体の内側面に接触することがないため、上述したような、マスクケースを介してマスクの濾布内面に微粒子が附着してしまうという問題が生じない。
【００１１】
然し乍ら、このマスクケースでは、マスクケースに収納の際に、マスクを横方向に二つ折りにしたとき、マスクのノースフィット（マスクの濾布の鼻に当たる上側辺部分に沿って内設された線状の補強部材）の中央部が弾性限界を超えて強く折り曲げられるため、マスクを再度使用する際に、ノースフィットが塑性変形して折れ曲がった状態から十分に復元せず、場合によればノースフィットの中央が破断してしまうという問題がある。また、マスクを二つ折りにした状態では、比較的面積が大きいため、ワイシャツの胸ポケットのような小口ポケットにマスクケースを収納できないという問題がある。
【００１２】
そこで、本発明の目的は、ワイシャツの胸ポケットのような小口ポケットに収納可能であり、ノースフィットの弾性限界を超える折れ曲がりを防止し、且つマスク収納の際にマスクの濾布内面が附着微粒子で汚染されることのないマスクケースを提供することにある。
【課題を解決するための手段】
【００１３】
本発明に係るマスクケースの第１の構成は、外形が横長矩形状のシートからなる本体シートと、
前記本体シートの下側横辺の中央に、前記本体シートの縦幅の略半分の深さまで切込まれて形成された凵字状の中央切欠部と、
前記中央切欠部最上部の上底から左右の縦辺に亘り、前記本体シートの横辺に平行に前記本体シートの表面に形成された中央横折線と、
前記本体シートの横幅の中心線に沿って、前記本体シートの表面に形成された中央縦折線と、
前記中央縦折線の左右両側の前記本体シートの表面に、該中央縦折線と平行に形成された一対の縦折線であって、その間隔が前記中央切欠部の幅と略同間隔である補助縦折線と、
前記本体シートの左右の縦辺の其々に、前記中央横折線からの距離が略等しい位置に、一対の円弧状切欠として形成された紐掛け部と、を備えたことを特徴とする
【００１４】
この構成によれば、使用者が装着しているマスクをマスクケースに収納する場合、又はマスクケースに収納されたマスクを装着する場合に於いて、マスクの濾布の外側面のみが常に本体シートの片面（内側面）に当接した状態とされるため、使用者はマスクの濾布の外側面に触れることなく、容易にマスクをマスクケースに収納することが可能となる。尚、マスクの収納／装着時の詳細な操作については後述する。
【００１５】
また、マスクをマスクケースに収納する場合、中央横折線に沿って縦方向に二つ折りし、更に、中央縦折線と補助縦折線に沿って横方向に二つ折りするため、最終的にマスクを四つ折りした状態となりコンパクトとなる。また、マスクのイヤーループを紐掛け部に掛け回して本体シートが開かないように固定される。これにより、ワイシャツの胸ポケットのような小口ポケットにも収納可能となる。
【００１６】
また、横方向に二つ折りする場合、中央縦折線と補助縦折線に沿って、折り端の角に比較的緩やかに丸みを持たせた状態で折り曲げられる。従って、マスクのノースフィットの弾性限界を超える折れ曲がりを防止でき、マスクケースからマスクを取り出した際にも、ノースフィットが折れ曲がった状態から弾性復元させることができる。
【００１７】
本発明に係るマスクケースの第２の構成は、前記第１の構成に於いて、前記本体シートの表面には、前記中央横折線と平行に、下側横辺の側に偏倚して補助横折線が形成されていることを特徴とする。
【００１８】
この構成によれば、マスクをマスクケースに収納する場合に於いて、内側面側にマスクの濾布を当接した状態で保持された本体シートを縦方向に二つ折りする際、本体シートは、中央横折線及び補助横折線の２つの折線に沿って、折り端の角に厚みを持たせた状態でコの字状に折り曲げられる。これにより、縦方向に二つ折りする際に、内側面側に当接されたマスクの濾布がズレることが防止され、スムーズな収納操作が可能となる。
【００１９】
本発明に係るマスクケースの第３の構成は、前記第１又は２の構成に於いて、前記本体シートは、プラスチックと炭酸カルシウムを混合成型した無機フィラー分散系の複合材料、又はユポ紙により構成されていることを特徴とする。
【００２０】
この構成によれば、本体シートを構成する無機フィラー分散系の複合材料又はユポ紙のシートは、弾性係数が通常の紙よりも大きく、折れ曲がり復元性にも優れている。従って、マスクの収納の際にマスクが過度に折れ曲げられることが防止される。また、マスクを取り出すときに本体シートを開くと、元の平らなシートに近い状態まで自然に復元されるため、何度も繰返して使用することができる。
【発明の効果】
【００２１】
以上のように、本発明に係るマスクケースによれば、使用者が装着しているマスクをマスクケースに収納する場合、又はマスクケースに収納されたマスクを装着する場合に於いて、マスクの濾布の外側面のみが常に本体シートの片面（内側面）に当接した状態とされるため、使用者はマスクの濾布の外側面に触れることなく、容易にマスクをマスクケースに収納することが可能となる。また、マスクをマスクケースに収納する場合、内面側にマスクの濾布を当接した本体シートを四つ折りした状態で、マスクのイヤーループを紐掛け部に掛け回して固定されるため、極めてコンパクトとなり、ワイシャツの胸ポケットのような小口ポケットにも収納可能となる。また、横方向に二つ折りする場合、折り端の角に比較的緩やかに丸みを持たせた状態で折り曲げられるので、マスクのノースフィットの弾性限界を超える折れ曲がりを防止でき、マスクケースからマスクを取り出した際にも、ノースフィットが折れ曲がった状態から弾性復元させることができる。
【図面の簡単な説明】
【００２２】
【図１】本発明の実施例１に係るマスクケースの１枚の台紙Ａに一体に取り付けられている状態における（ａ）平面図及び（ｂ）斜視図（写真）である。
【図２】台紙から切り離した実施例１に係るマスクケースの（ａ）平面図及び（ｂ）折線に沿って折曲げた状態の斜視図（写真）である。
【図３】収納時にマスクケースにマスクを当てた状態を表す図である。
【図４】マスク１０をマスクケース１へ収納する際の操作を表す図である。
【図５】顔に装着したマスクをマスクケース１へ収納する手順を示す図である。
【発明を実施するための形態】
【００２３】
以下、本発明を実施するための形態について、図面を参照しながら説明する。
【実施例１】
【００２４】
図１は、本発明の実施例１に係るマスクケースの１枚の台紙Ａに一体に取り付けられている状態における（ａ）平面図及び（ｂ）斜視図（写真）である。図２は、台紙から切り離した実施例１に係るマスクケースの（ａ）平面図及び（ｂ）折線に沿って折曲げた状態の斜視図（写真）である。図１は、マスクケース１が、１枚の台紙Ａに一体に取り付けられている状態を表している。図１（ａ）で一点鎖線で示した部分が切取線を表し、点線で示された部分がシート面上に圧刻された折線を表す。図１（ｂ）は図１（ａ）の台紙Ａ上に一体に取り付けられているマスクケース１を斜め上方向から撮影した写真である。
【００２５】
実施例１に係るマスクケース１は、１枚の本体シート２により構成されている。本発明に於いては、台紙Ａ及び本体シート２の素材としては、紙、合成紙（ユポ紙やＬＩＭＥＸ（登録商標）シート）、プラスチックシート、布、皮等を使用することが可能である。本実施例１においては、台紙Ａ及び本体シート２の素材として、ＬＩＭＥＸシートを使用している。尚、ＬＩＭＥＸ（登録商標）（ライメックス）とは、株式会社ＴＢＭが開発、製造する、石灰石を主原料とする新素材であり、ポリプロピレンなどのプラスチックと石灰石（主に炭酸カルシウム）を混合成型した無機フィラー分散系の複合材料である。炭酸カルシウムの含有率は、ＬＩＭＥＸの種類により様々であるが、ここでは炭酸カルシウムを５０％以上含むものを使用している。ＬＩＭＥＸシートは、通常の紙に比べて弾性率が大きく、また、折れ曲がり復元性にも優れている。尚、同様の性質を持つ素材としては、ユポ紙（合成紙）が知られており、台紙Ａ及び本体シート２の素材としてユポ紙を用いることも出来る。
【００２６】
尚、本体シート２の表面に、抗菌剤を塗布又は蒸着等により着設しておくこともできる。これにより、マスクの濾布から本体シート２に病原体が移着しても殺菌され、衛生状態が維持されるからである。
【００２７】
図１及び図２において、マスクケース１は、全体の外形が、横長矩形状のシートからなる本体シート２により構成されている。本体シート２の４つの隅（矩形の頂点）は、丸く面取りがされている。マスクケース１をポケットなどに入れた際に引っ掛かりが少ないようにするためである。本体シート１の下側横辺１ａの中央には、本体シート２の縦幅ｗ１の略半分の深さｈ２（≒ｗ１／２）まで切込まれて形成された凵字状に中央切欠部３が形成されている（図２（ａ）参照）。一般的に広く使用されているイヤーループマスクのマスクケースの場合、中央切欠部３の幅ｄ２は、折れ曲げ時におけるマスクのノースフィットの弾性限界と、折れ曲げた状態におけるマスクケース１の全体形状のコンパクト性を考慮すると、２０ｍｍ±５ｍｍ程度とするのが好適である。尚、中央切欠部３の開口側の両角部も、丸く面取りがされている。マスクケース１をポケットなどに入れた際に引っ掛かりが少ないようにするためである。
【００２８】
本体シート２の表面には、中央切欠部３の最上部の底辺３ａ（上底辺）から左右の縦辺１ｃ，１ｄに亘り、本体シート２の横辺１ａ，１ｂに平行に中央横折線４が圧刻形成されている。尚、「圧刻」とは、折線に沿ってシート面を金型などで線状に局所加圧することにより、折線に沿った条溝を形成することをいう。また、中央横折線４と平行に、下側横辺１ａの側に間隔ｄ１だけ偏倚して、補助横折線４ａが形成されている。一般的に広く使用されているイヤーループマスクのマスクケースの場合、縦幅ｗ１は、通常のマスクの縦幅を考慮するとおよそ１１．５±１０ｍｍ程度、間隔ｄ１は、マスクの折れ曲げの厚みを考慮しておよそ５±２ｍｍ程度とするのが好適である。
【００２９】
また、本体シート２の表面には、本体シート２の横幅ｗ２の中心線に沿って、中央縦折線５が圧刻形成されている。また、中央縦折線５の左右両側には、該中央縦折線５と平行に一対の縦折線５ａ，５ａが圧刻形成されている。この一対の縦折線５ａ，５ａの間隔は、中央切欠部３の幅ｄ２と略同間隔である。
【００３０】
本体シート２の左右の縦辺１ｃ，１ｄの其々には、中央横折線４（乃至補助横折線４ａ）からの距離が略等しい位置に、一対の紐掛け部６，６が円弧状切欠として形成されている。この紐掛け部６，６の円弧状切欠の端は、丸く面取りがされている（図示せず）。紐掛け部６，６にマスクのイヤーループを掛ける際に、イヤーループを傷つけることがないようにするためである。
【００３１】
以上のように構成された本実施例のマスクケース１について、以下そのマスク収納方法を説明する。図３は、マスク収納時にマスクケースにマスクを当てた状態を表す図である。図３において、マスクケース１及びマスク１０の本体シート２は、内側面が正面を向くように表示されている。マスク収納時には、図３に示すようにマスク１０の外側面が、マスク１０の本体シート２の内側面に当接するように押し当てられる。
【００３２】
ここで、一般的なマスク１０の構造について補足説明しておく。マスク１０は、ガーゼ又は不織布を多層に重ね合わせて構成された横長矩形状の濾布１１の左右の縦辺の両隅に、ゴム紐からなるイヤーループ１４の両端が接続された構造を有している。プリーツマスクの場合には、濾布１１には、横幅全体に亘る折襞状のプリーツ１２が複数形成されている。一般のマスク（ガーゼマスクなど）ではプリーツ１２がない場合もある。濾布１１の上側横辺の近傍の内部には、濾布１１の鼻に当たる部分の形状を保つため、弾性を有する金属線または硬質プラスチック線で構成されたノースフィット１３が内設されている。
【００３３】
図４は、マスク１０をマスクケース１へ収納する際の操作を表す図である。図４（ａ）は、図３と同じく、最初にマスク１０の外側面に本体シート２の内側面を当接させた状態を表している。この状態において、まず、中央横折線４及び補助横折線４ａに沿って、本体シート２及びマスク１０を内側に折り曲げる。図４（ａ）においては、折り曲げ方向を矢印Ｐ１で示している。中央横折線４及び補助横折線４ａに沿って本体シート２及びマスク１０を縦方向に二つ折りした状態を図４（ｂ）に示す。この状態では、本体シート２の左側縦辺１ｃ（及び右側縦辺１ｄ）の２つの紐掛け部６は、切り欠きが上下に丁度重なった状態となっている。また、マスク１０の左右のイヤーループ１４，１４の両端は、其々、左側縦辺１ｃの紐掛け部６，６が重なった位置、及び右側縦辺１ｃの紐掛け部６，６が重なった位置に、上下に重なって纏められた状態となっている。
【００３４】
次に、中央縦折線５及び補助縦折線５ａ，５ａに沿って、二つ折りされた本体シート２及びマスク１０を横方向に折り曲げる。図４（ｂ）においては、折り曲げ方向を矢印Ｐ２で示している。中央縦折線５及び補助縦折線５ａ，５ａに沿って二つ折りされた本体シート２及びマスク１０を横方向に二つ折りした状態を図４（ｃ）に示す。この状態で、本体シート２及びマスク１０は四つ折りされた状態となり、平面視の面積は、最初の面積の１／４となる。また、本体シート２の左側縦辺１ｃの２つの紐掛け部６，６及び右側縦辺１ｄの２つの紐掛け部６，６は、各切り欠き同士が丁度略同じ位置で上下に重なった状態となっている。また、マスク１０の左右のイヤーループ１４，１４は、四つ折りされた本体シート２の左側縦辺１ｃ及び右側縦辺１ｄが合わさった側の紐掛け部６，６，６，６の一付近で、上下に重なって纏まった状態となる。
【００３５】
また、図４（ｃ）の四つ折りされた本体シート２の左側の、中央縦折線５及び補助縦折線５ａ，５ａに沿って二つ折りされた折り端の辺（図４（ｃ）（ｄ）（ｅ）の辺Ｅ１）では、中央縦折線５と補助縦折線５ａ，５ａに沿って、折り端の角に比較的緩やかに丸みを持たせた状態で折り曲げられる（図４（ｅ）参照）。従って、マスク１０のノースフィット１３の弾性限界を超える折れ曲がりによる塑性変形を防止でき、マスクケース１からマスク１０を取り出した際にも、ノースフィット１３が折れ曲がった状態から弾性復元させることができる。
【００３６】
最後に、イヤーループ１４，１４の輪を、上下に重ね合わさった紐掛け部６，６，６，６と、中央縦折線５の側との間に回し掛けして、本体シート２が開かないように固定する。イヤーループ１４，１４の輪を紐掛け部６，６，６，６と、中央縦折線５の側との間に回し掛けした状態を図４（ｄ），（ｅ）に示す。図４（ｄ）は平面視の図、図４（ｅ）は上側横辺１ｂの側の側面から視た図である。
【００３７】
これにより、最終的にマスク１０をマスクケース１に収納した状態では、収納状態（図４（ｄ））のマスクケース１の平面視の面積は、最初のマスク１０及び本体シート２を広げた状態（図４（ａ））のマスクケース１の平面視の面積の１／４となり、非常にコンパクトとなり、ワイシャツの胸ポケットのような小口ポケットに収納可能である。本実施例では、最終的にマスク１０をマスクケース１に収納した状態におけるマスクケース１（図４（ｄ），（ｅ））の外形を実際に測定すると、横幅約９ｃｍ×縦幅約６ｃｍ×最大厚み約３ｃｍであった。尚、最大厚みは図４（ｅ）の最も膨らんだ部分の厚みであり、ポケットに収納した際には押しつぶされるためこれよりも薄くなる。
【００３８】
また、本実施例では、本体シート２の素材として、弾性率の大きいＬＩＭＥＸシートを使用しているので、図４（ｄ），（ｅ）のように折り畳まれた状態でも、図４（ｅ）の矢印Ｐ３で示したような拡がる方向に応力が働く（この応力のため、図４（ｅ）で本体シート２の中央部が膨曲している）。従って、これによっても中央縦折線５と補助縦折線５ａ，５ａに沿った折り端の辺Ｅ１が、マスク１０のノースフィット１３の弾性限界を超えて過度に折り曲げられることが防止される。この効果は、本体シート２の素材として、ユポ紙（合成紙）を使用した際にも同様に得られる。
【００３９】
最後に、実際に顔に装着したマスク１０をマスクケース１へ収納する手順について説明する。図５は、顔に装着したマスクをマスクケース１へ収納する手順を示す図である。まず、図５（１）に示したように、広げた状態のマスクケース１を、本体シート２を広げた状態で、内側面を上にして、本体シート２の左右の縦辺１ａ，１ｂを両手で持つ。次に、そのまま本体シート２を口の前まで持って行き、図５（２）に示したように、本体シート２の内側面を、マスク１０の濾布１１の外側側面に両手で押し当てる。そして、両手の親指をマスク１０の濾布１１の内側側面に回して、本体シート２の内側面にマスク１０の濾布１１の外側側面が当接した状態で保持する。次に、図５（３），（４）に示した様に、マスク１０の左右のイヤーループ１４，１４を耳から取り外す。この際、マスク１０の濾布１１の外側側面が本体シート２の内側面に当接した状態に指で保持しておく。左右のイヤーループ１４，１４を耳から取り外した状態が図５（５）である。図５（２）〜（５）のマスク取り外し操作の間、両手の指は、本体シート２の外側面とマスク１０の濾布１１の内側側面とを挟み込んだ状態であり、指がマスク１０の濾布１１の外側側面に触れることがない。従って、マスク１０の濾布１１外面が附着した微粒子が指に附着することが防止できる。次に、図５（６）〜（７）のように、マスク１０の濾布１１を本体シート２の内側面に挟み込むようにして、本体シート２を中央横折線４及び補助横折線４ａに沿って縦方向に二つ折りに折り畳む。次いで、図５（７）〜（８）のように、二つ折りした本体シート２を、今度は中央縦折線５及び補助縦折線５ａ，５ａに沿って二つ折りに折り畳む。最後に、図５（９）〜（１１）のように、マスク１０のイヤーループ１４，１４の輪を、上下に重ね合わさった紐掛け部６，６，６，６と、中央縦折線５の側との間に回し掛けして、本体シート２が開かないように固定する。
【００４０】
以上の収納過程に於いて、本体シート２の内側側面は、常にマスク１０の濾布１１の外側面のみと接触し、マスク１０の濾布１１の内側面と接触することはない。従って、マスク１０の濾布１１の外側面に附着した微粒子が本体シート２の内側側面に移着したとしても、本体シート２の内側側面からマスク１０の濾布１１の内側面に微粒子が移着することはない。従って、マスクの衛生状態は高く保たれる。
【符号の説明】
【００４１】
１  マスクケース
１ａ  下側横辺
１ｂ  上側横辺
１ｃ  左側縦辺
１ｄ  右側縦辺
２  本体シート
３  中央切欠部
３ａ  中央切欠部最上部の底辺
４  中央横折線
４ａ  補助横折線
５  中央縦折線
５ａ  補助縦折線
６  紐掛け部
Ａ  台紙
１０  マスク
１１  濾布
１２  プリーツ
１３  ノースフィット
１４  イヤーループ
【図１】
2020195828.tif 000003
【図２】
2020195828.tif 000004
【図３】
2020195828.tif 000005
【図４】
2020195828.tif 000006
【図５】
2020195828.tif 000007
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
外形が横長矩形状のシートからなる本体シートと、
前記本体シートの下側横辺の中央に、前記本体シートの縦幅の略半分の深さまで切込まれて形成された凵字状の中央切欠部と、
前記中央切欠部最上部の上底から左右の縦辺に亘り、前記本体シートの横辺に平行に前記本体シートの表面に形成された中央横折線と、
前記本体シートの横幅の中心線に沿って、前記本体シートの表面に形成された中央縦折線と、
前記中央縦折線の左右両側の前記本体シートの表面に、該中央縦折線と平行に形成された一対の縦折線であって、その間隔が前記中央切欠部の幅と略同間隔である補助縦折線と、
前記本体シートの左右の縦辺の其々に、前記中央横折線からの距離が略等しい位置に、一対の円弧状切欠として形成された紐掛け部と、を備えたことを特徴とするマスクケース。
【請求項２】
前記本体シートの表面には、前記中央横折線と平行に、下側横辺の側に偏倚して補助横折線が形成されていることを特徴とする請求項１記載のマスクケース。
【請求項３】
前記本体シートは、プラスチックと炭酸カルシウムを混合成型した無機フィラー分散系の複合材料、又はユポ紙により構成されていることを特徴とする請求項１又は２に記載のマスクケース。
【請求項４】
請求項１乃至３の何れか一のマスクケースに、横長矩形状の濾布の左右両縦辺にイヤーループを具備するマスクが収納されたマスク収納体であって、
前記マスクケースの前記本体シートの表裏両面の一方を内側面、他方を外側面とし、
前記マスクの前記濾布の外側面を、前記マスクケースの前記本体シートの前記内側面に当接させた状態で、前記濾布の縦辺及び横辺がそれぞれ前記本体シートの縦辺及び横辺と平行となり且つ前記本体シートの前記内側面上に前記濾布が納まるように、前記本体シートに前記濾布を重ね、
前記濾布が内側となるように、前記本体シートの前記中央横折線に沿って、前記濾布が重ねられた前記本体シートを縦方向に二つ折りし、
さらに、この二つ折りされた前記本体シート及び前記濾布を、前記本体シートの前記中央縦折線及び前記補助縦折線に沿って、横方向に二つ折りして四つ折りの状態とし、
この四つ折りされた前記本体シート及び前記濾布において、前記本体シートの左右縦辺が重ね合わさった側から外側に出た前記マスクの前記イヤーループの輪が、四つ折りされた前記本体シートの前記左右縦辺が重ね合わさった側の辺にある４つが重ね合わさった前記紐掛け部と、四つ折りされた前記本体シートの前記中央縦折線の側の辺との間に回し掛けされてなるマスク収納体。